(57)【要約】【課題】不正開封者によって情報が不正に利用されることを抑制できる新たな技術を提供する。【解決手段】本明細書の端末装置２は、ケース４と、ケース４内に収容され、情報を記憶しているＩＣチップ１４のメモリと、ケース４の開口部５を閉塞する蓋６と、蓋６とケース４を固定している複数本のネジとを備えている。複数本のネジは、左方向に回されると蓋６とケース４を固定する方向に進行する特定ネジ４０と、左方向に回されると蓋６とケース４の固定を解除する方向に進行する固定ネジ２２とを含む。特定ネジ４０は、ケース４と蓋６を閉塞状態に固定する固定位置に位置決め可能となっているとともに、固定位置を超えて蓋６とケース４を固定する方向にさらに進行可能となっている。特定ネジ４０が固定位置から左方向に回されることによって蓋６とケース４を固定する方向にさらに進行すると、ＩＣチップ１４のＣＰＵは、メモリに記憶されている情報を消去する。【選択図】図２
2014154106.tif 000002
【特許請求の範囲】
【請求項１】
開口部を有するケースと、
ケース内に収容され、情報を記憶している記憶媒体と、
ケースの開口部を閉塞する蓋と、
蓋とケースを固定している複数本のネジと、を備えており、
複数本のネジは、特定の方向に回されると蓋とケースを固定する方向に進行する第１種類のネジと、特定の方向に回されると蓋とケースの固定を解除する方向に進行する第２種類のネジと、を含み、
複数本のネジのうちの少なくとも１本の特定のネジは、第１種類のネジであって、ケースと蓋を特定状態に固定する固定位置に位置決め可能となっているとともに、固定位置を超えて蓋とケースを固定する方向にさらに進行可能となっており、
特定のネジが固定位置から特定の方向に回されることによって蓋とケースを固定する方向にさらに進行すると、記憶媒体に記憶されている情報の保護に関係する保護動作が行われる、
端末装置。
【請求項２】
蓋とケースの少なくとも一方のうち、特定のネジが螺入される部分には、特定のネジが固定位置まで螺入されたときに、特定のネジを固定位置に位置決めする位置決め片が形成されており、
特定のネジが固定位置まで螺入されている場合において、さらに、特定のネジが特定のトルク以上のトルクで特定の方向に回されると位置決め片が変形し、特定のネジがさらに蓋とケースを固定する方向に進行する、
請求項１に記載の端末装置。
【請求項３】
保護動作は、特定のネジの進行方向先端部によって記憶媒体を物理的に損傷させる動作である、
請求項１又は２に記載の端末装置。
【請求項４】
記憶媒体と接続されており、記憶媒体に記憶されている情報を変更可能な制御装置をさらに有しており、
保護動作は、制御装置を作動させる動作である、
請求項１又は２に記載の端末装置。
【請求項５】
特定のネジが、第２種類のネジを特定の方向に回した後に回すことができる位置に備えられている、
請求項１から４のいずれか一項に記載の端末装置。
【発明の詳細な説明】
【技術分野】
【０００１】
本明細書で開示する技術は、端末装置に関する。
【背景技術】
【０００２】
特許文献１は、情報コードを読み取る読取手段と、読み取られた情報を記憶する記憶手段と、記憶手段を収容する筐体と、制御手段とを備える光学的情報読取装置を開示する。筐体は、第１ケース及び第２ケースを有し、両ケースが複数本のネジによって締結されている。この光学的情報読取装置では、第１ケースと第２ケースを締結するネジの取り外し順序が予め定められている。ネジの取り外し順序が予め定められた順序に一致しない場合、制御手段は、記憶手段に記憶された情報の少なくとも一部を消去する。これにより、予め定められた取り外し順序を知らない不正開封者によって情報が不正に利用されることの抑制を図っている。
【先行技術文献】
【特許文献】
【０００３】
【特許文献１】特開２０１０−１１８０４１号公報
【発明の概要】
【発明が解決しようとする課題】
【０００４】
特許文献１の技術では、予め定められた取り外し順序を知らない不正開封者が、偶然に予め定められた取り外し順序と一致する順序で各ネジを取り外してしまう場合がある。このような場合、情報が不正に利用される可能性がある。
【０００５】
本明細書では、不正開封者によって情報が不正に利用されることを抑制できる新たな技術を提供する。
【課題を解決するための手段】
【０００６】
本明細書が開示する端末装置は、開口部を有するケースと、ケース内に収容され、情報を記憶している記憶媒体と、ケースの開口部を閉塞する蓋と、蓋とケースを固定している複数本のネジとを備えている。複数本のネジは、特定の方向に回されると蓋とケースを固定する方向に進行する第１種類のネジと、特定の方向に回されると蓋とケースの固定を解除する方向に進行する第２種類のネジとを含む。複数本のネジのうちの少なくとも１本の特定のネジは、第１種類のネジであって、ケースと蓋を特定状態に固定する固定位置に位置決め可能となっているとともに、固定位置を超えて蓋とケースを固定する方向にさらに進行可能となっている。特定のネジが固定位置から特定の方向に回されることによって蓋とケースを固定する方向にさらに進行すると、記憶媒体に記憶されている情報の保護に関係する保護動作が行われる。
【０００７】
上記の端末装置では、第２種類のネジを取り外すためには、第２種類のネジを特定の方向に回す必要がある。一方、第１種類のネジを取り外すためには、第１種類のネジを特定の方向とは反対の方向に回す必要がある。少なくとも１本の特定のネジは、第１種類のネジであり、ケースと蓋を特定状態に固定する固定位置に位置決め可能となっているとともに、固定位置を超えて蓋とケースを固定する方向にさらに進行可能となっている。従って、利用者は特定のネジを固定位置に位置決めし、ケースと蓋を特定状態で固定しておくことができる。上記の端末装置では、第１種類のネジと第２種類のネジとが混在しているため、複数本のネジのうちのどのネジが特定のネジであるのかを知らない不正開封者は、端末装置を開封しようとする場合に、特定のネジを取り外そうとして、第２種類のネジを取り外す場合と同様に、特定のネジを特定の方向に回す可能性が高い。その場合、特定のネジは、固定位置から蓋とケースを固定する方向にさらに進行し、これによって記憶媒体に記憶されている情報の保護に関係する保護動作が行われる。ここで、「記憶媒体に記憶されている情報の保護」とは、例えば、記憶媒体に記憶されている情報の少なくとも一部を消去することを含む。従って、上記の端末装置によると、不正開封者によって、記憶媒体に記憶されている情報が不正に利用されることを抑制することができる。
【図面の簡単な説明】
【０００８】
【図１】第１実施例の端末装置２を概略的に示す斜視図。
【図２】第１実施例の端末装置２を概略的に示す分解斜視図。
【図３】第１実施例の位置決め部材３０の周辺部分を示す断面図。
【図４】第１実施例の位置決め部材３０の周辺部分を示す断面図。
【図５】第２実施例の端末装置１０２を概略的に示す分解斜視図。
【図６】第２実施例の位置決め部材３０の周辺部分を示す断面図。
【図７】第２実施例の位置決め部材３０の周辺部分を示す断面図。
【図８】第３実施例の位置決め片２３０の周辺部分を示す断面図。
【図９】第３実施例の位置決め片２３０の周辺部分を示す断面図。
【図１０】第４実施例の端末装置３０２を概略的に示す分解斜視図。
【図１１】第４実施例の端末装置３０２の外蓋３０６を取り外した状態を示す平面図。
【発明を実施するための形態】
【０００９】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１０】
（特徴１）蓋とケースの少なくとも一方のうち、特定のネジが螺入される部分には、特定のネジが固定位置まで螺入されたときに、特定のネジを固定位置に位置決めする位置決め片が形成されていてもよい。特定のネジが固定位置まで螺入されている場合において、さらに、特定のネジが特定のトルク以上のトルクで特定の方向に回されると位置決め片が変形し、特定のネジがさらに蓋とケースを固定する方向に進行するようにしてもよい。
【００１１】
この構成によると、位置決め片は、固定位置まで螺入された特定のネジを固定位置に位置決めする。位置決め片は、特定のトルクより小さいトルクで特定の方向に回されたとしても変形しない。即ち、位置決め片によって固定位置に位置決めされている特定のネジは、特定のネジと同様に蓋とケースとを特定状態で固定している他の第２種類のネジと区別がつき難い。そのため、不正開封者が端末装置を開封しようとする場合に、特定のネジを取り外そうとして、第２種類のネジを取り外す場合と同様に、特定のネジを特定の方向に回す可能性がより高くなる。その際、不正開封者が、特定のネジを取り外そうとして、特定のトルク以上のトルクで特定のネジを特定の方向に回せば、位置決め片が変形し、保護操作が行われる。ここで、「特定のトルク」とは、特定のネジを固定位置からさらに進行させるためのトルクである。特定のトルクは、蓋とケースとを特定状態で固定している第２種類のネジを取り外す際に、その第２種類のネジに加えられるトルクと同等又はそれよりも小さいトルクを含む。従って、この構成によると、不正開封者によって、記憶媒体に記憶されている情報が不正に利用されることをより効果的に抑制することができる。
【００１２】
（特徴２）保護動作は、特定のネジの進行方向先端部によって記憶媒体を物理的に損傷させる動作であってもよい。
【００１３】
この構成によると、記憶媒体を物理的に損傷させることで、記憶媒体に記憶されている情報を正確に読み出せないようにすることができる。従って、不正開封者が記憶媒体から情報を正確に読み出せないようにすることができる。
【００１４】
（特徴３）記憶媒体と接続されており、記憶媒体に記憶されている情報を変更可能な制御装置をさらに有していてもよい。保護動作は、制御装置を作動させる動作であってもよい。
【００１５】
この構成によると、進行した特定のネジによって作動された制御装置が、記憶媒体に記憶されている情報を変更することができる。ここで「変更」は、例えば、情報の消去も含む。従って、不正開封者が記憶媒体から情報を正確に読み出せないようにすることができる。
【００１６】
（特徴４）特定のネジが、第２種類のネジを特定の方向に回した後に回すことができる位置に備えられていてもよい。
【００１７】
この構成によると、不正開封者が端末装置を開封しようとする場合に、特定のネジを取り外そうとして、第２種類のネジを取り外す場合と同様に、特定のネジを特定の方向に回す可能性がより高くなる。
【実施例】
【００１８】
（第１実施例）
図１に示す端末装置２は、ＩＣカードリーダである。図１に示すように、端末装置２は、上面が開口するケース４と、ケース４の開口部５（図２参照）を閉塞する蓋６とを備えている。蓋６とケース４は、複数本のネジ（図１の２２、４０）によって固定されている。複数本のネジは、４本の固定ネジ２２と、１本の特定ネジ４０を含む。
【００１９】
固定ネジ２２は、いわゆる右ネジである。即ち、固定ネジ２２は、右方向に回されると、蓋６とケース４とを固定する方向に進行し、左方向に回されると、蓋６とケース４の固定を解除する方向に進行する。これに対し、特定ネジ４０は、いわゆる左ネジである。即ち、特定ネジ４０は、左方向に回されると、蓋６とケース４とを固定する方向に進行し、右方向に回されると、蓋６とケース４の固定を解除する方向に進行する。
【００２０】
本実施例の端末装置２をＩＣカードリーダとして実際に使用する際は、ケース４の底面４ａを上側に向け、蓋６の上面６ａを下側に向ける。ケース４の底面４ａがＩＣカードの読み取り面として機能する。以下、本明細書では、図１に示すように、蓋６がケース４の開口部５を閉塞した状態のことを「閉塞状態」と呼ぶ場合がある。また、蓋６とケース４が、閉塞状態で固定されている場合における固定ネジ２２の位置、及び、特定ネジ４０の位置（図１、図３参照）を、「固定位置」と呼ぶ場合がある。
【００２１】
図２に示すように、ケース４は、上面が開口する容器である。ケース４の側壁の四隅の上端には、それぞれ、固定ネジ２２を螺入するためのネジ孔４ｂが形成されている。ネジ孔４ｂの内壁面には、固定ネジ２２（右ネジ）に適合するネジ山が形成されている。また、ケース４の対向する一組の側壁の間には、梁部材５０が設けられている。梁部材５０は、ケース４の対向する一組の側壁と一体に形成されている。梁部材５０には、特定ネジ４０を螺入するためのネジ孔５２が形成されている。ネジ孔５２の内壁面には、特定ネジ４０（左ネジ）に適合するネジ山が形成されている。
【００２２】
ケース４内には、基板９及び電池１０が備えられている。基板９上には、スイッチ１２とＩＣチップ１４が配置されている。スイッチ１２とＩＣチップ１４は電気的に接続されている。電池１０は、スイッチ１２及びＩＣチップ１４に電力を供給する。
【００２３】
ＩＣチップ１４は、図示しないＣＰＵと、メモリを備えている。ＣＰＵは、メモリ内のプログラムに従って様々な処理を実行する。メモリは、不揮発性メモリであって、様々なプログラムを記憶している。また、メモリは、様々な情報（例えば、読み取ったＩＣカードに関係する情報など）を記憶する領域も有している。
【００２４】
スイッチ１２は、蓋６とケース４が閉塞状態で固定されている場合（図１参照）に、特定ネジ４０の直下の位置に配置される。詳しくは後述するが、特定ネジ４０が固定位置にあるときに、スイッチ１２は特定ネジ４０の先端部４２と対向し、両者の間には隙間が形成されている（図３参照）。また、特定ネジ４０が、固定位置から、蓋６とケース４を固定する方向にさらに進行すると、スイッチ１２は、特定ネジ４０の先端部４２によって押される（図４参照）。本実施例では、スイッチ１２が押されると、ＩＣチップ１４のＣＰＵは、メモリ内のデータを全て消去する処理を行う。
【００２５】
図２に示すように、蓋６は、ケース４の開口部５を閉塞する板状部材である。蓋６の上面６ａの四隅には、それぞれ、凹部２０が形成されている。四隅の凹部２０の底面には、それぞれ、固定ネジ２２を螺入するためのネジ孔２１が形成されている。ネジ孔２１の内壁面には、固定ネジ２２（右ネジ）に適合するネジ山が形成されている。各ネジ孔２１は、ケース４の開口部５を蓋６によって閉塞した場合に、ケース４の各ネジ孔４ｂと連通する。
【００２６】
また、蓋６の上面６ａの略中央には、凹部４４が形成されている。凹部４４内には、位置決め部材３０が配置されている。位置決め部材３０には、特定ネジ４０を挿通可能な孔３８が形成されている。さらに、図３に示すように、凹部４４の底面には、特定ネジ４０を螺入するためのネジ孔４６が形成されている。孔３８とネジ孔４６は連通している。ネジ孔４６の内壁面には、特定ネジ４０（左ネジ）に適合するネジ山が形成されている。孔３８及びネジ孔４６は、ケース４の開口部５を蓋６によって閉塞した場合に、ケース４の梁部材５０のネジ孔５２と連通する。
【００２７】
図３に示すように、位置決め部材３０は、凹部４４の底面上に配置された第１板材３２と、第１板材３２より上方に備えられ、特定ネジ４０の頭部が当接する第２板材３４と、第１板材３２と第２板材３４との間に所定の間隔を保つための複数本の支持材３６とを有する。上記の通り、第１板材３２と第２板材３４には、特定ネジ４０を挿通可能な孔３８が形成されている。
【００２８】
以上、ケース４と蓋６の構成について説明した。ケース４に蓋６を固定するには、まず、ケース４の開口部５を蓋６で覆う。次いで、蓋６の上面６ａの四箇所のネジ孔２１にそれぞれ固定ネジ２２（右ネジ）を螺入する。固定ネジ２２は右ネジであるため、固定ネジ２２を右方向に回すことで、各固定ネジ２２がネジ孔２１及びネジ孔４ｂに螺入される。さらに、孔３８に特定ネジ４０（左ネジ）を挿通させるとともに、ネジ孔４６に特定ネジ４０を螺入する。特定ネジ４０は左ネジであるため、特定ネジ４０を左方向に回すことで、特定ネジ４０が孔３８を通って、ネジ孔４６及びネジ孔５２に螺入される。このとき、特定ネジ４０は、図３に示すように、特定ネジ４０の頭部が位置決め部材３０の第２板材３４に当接する位置まで螺入される。特定ネジ４０は、図３に示す位置で位置決めされる。この結果、ケース４と蓋６とが閉塞状態で固定される。従って、図３に示す特定ネジ４０の位置が、ケース４と蓋６とが閉塞状態で固定される場合の特定ネジ４０の位置（固定位置）である。
【００２９】
図３に示すように、特定ネジ４０が固定位置にある場合、位置決め部材３０の第１板材３２と第２板材３４とは複数本の支持材３６によって離間した状態で維持される。このため、特定ネジ４０の先端部４２は、スイッチ１２の直上に所定の間隔をあけて配置される。
【００３０】
固定位置にある特定ネジ４０（図３）を、特定のトルク以上のトルクで、左方向に回すと、特定ネジ４０は、固定位置から、蓋６とケース４とを固定する方向（図３の下方向）にさらに進行しようとする。即ち、特定ネジ４０の頭部が、第２板材３４に対して、下向きの力を加える。その結果、図４に示すように、位置決め部材３０の各支持材３６がつぶれて変形する。これにより、特定ネジ４０は、固定位置を超えて、蓋６とケース４とを固定する方向（図４の下方向）にさらに進行する。特定ネジ４０がさらに進行すると、特定ネジ４０の先端部４２が、スイッチ１２を押し下げる。なお、固定位置にある特定ネジ４０（図３）が、特定のトルクより小さいトルクで左方向に回されたとしても、位置決め部材３０の各支持材３６は変形しない。ここで、「特定のトルク」とは、特定ネジ４０を固定位置からさらに進行させるためのトルクである。特定のトルクは、蓋６とケース４とを固定している固定ネジ２２を取り外す際に、その固定ネジ２２に加えられるトルクと同等又はそれよりも小さいトルクである。
【００３１】
上記の通り、スイッチ１２が押されると、ＩＣチップ１４のＣＰＵは、メモリ内のデータを全て消去する処理を行う。
【００３２】
以上、本実施例の端末装置２について説明した。本実施例の端末装置２では、固定ネジ２２（右ネジ）を取り外すためには、固定ネジ２２を左方向に回す必要がある。一方、特定ネジ４０（左ネジ）を取り外すためには、特定ネジ４０を右方向に回す必要がある。特定ネジ４０は、ケース４と蓋６を閉塞状態に固定する固定位置に位置決め可能となっている（図３参照）とともに、固定位置を超えて蓋６とケース４を固定する方向にさらに進行可能となっている（図４参照）。従って、利用者は特定ネジ４０を固定位置に位置決めし、ケース４と蓋６を閉塞状態で固定しておくことができる。本実施例の端末装置２では、固定ネジ２２（右ネジ）と特定ネジ４０（左ネジ）とが混在しているため、複数本のネジのうちのどのネジが特定ネジ４０であるのかを知らない不正開封者は、端末装置２を開封しようとする場合に、特定ネジ４０を取り外そうとして、固定ネジ２２を取り外す場合と同様に、特定ネジ４０を左方向に回す可能性が高い。その場合、特定ネジ４０は、固定位置から蓋６とケース４を固定する方向にさらに進行し、スイッチ１２を押す。これによって、ＩＣチップ１４のＣＰＵは、メモリに記憶されている情報を全て消去する。従って、上記の端末装置によると、不正開封者によって、ＩＣチップ１４のメモリに記憶されている情報が不正に利用されることを抑制することができる。
【００３３】
また、本実施例では、蓋６の凹部４４には、特定ネジ４０が、図３に示す固定位置まで螺入されたときに、特定ネジ４０を固定位置に位置決めする位置決め部材３０が設けられている。固定位置の特定ネジ４０が、さらに、特定のトルク以上のトルクで左方向に回されると、位置決め部材３０の支持材３６が変形し、特定ネジ４０がさらに蓋６とケース４を固定する方向に進行する。位置決め部材３０の支持材３６は、特定のトルクより小さいトルクで左方向に回されたとしても変形しない。即ち、位置決め部材３０によって固定位置に位置決めされている特定ネジ４０は、蓋６とケース４とを閉塞状態で固定している他の固定ネジ２２と区別がつき難い。そのため、不正開封者が端末装置２を開封しようとする場合に、特定ネジ４０を取り外そうとして、固定ネジ２２を取り外す場合と同様に、特定ネジ４０を左方向に回す可能性がより高くなる。その際、不正開封者が、特定ネジ４０を取り外そうとして、特定のトルク以上のトルクで特定ネジ４０を左方向に回せば、位置決め部材３０の支持材３６が変形し、特定ネジ４０が進行する。その結果、特定ネジ４０の先端部４２によってスイッチ１２が押される。従って、不正開封者によって、ＩＣチップ１４のメモリに記憶されている情報が不正に利用されることをより効果的に抑制することができる。
【００３４】
本実施例の構成と請求項の記載との対応関係を記載しておく。ＩＣチップ１４のメモリが「記憶媒体」の一例である。ＩＣチップ１４のＣＰＵが「制御装置」の一例である。特定ネジ４０（左ネジ）が「第１種類のネジ」及び「特定のネジ」の一例である。固定ネジ２２（右ネジ）が「第２種類のネジ」の一例である。左方向が「特定の方向」の一例である。閉塞状態が「特定状態」の一例である。第２板材３４と支持材３６とが「位置決め片」の一例である。
【００３５】
（第２実施例）
第２実施例について、第１実施例と異なる点を中心に説明する。図５に示すように、本実施例の端末装置１０２も、その基本的構成は第１実施例と同様である。本実施例では、ＩＣチップ１４を特定ネジ１４０（左ネジ）の直下の位置に配置しているとともに、特定ネジ１４０の先端部１４２が尖っている点で第１実施例とは異なる。
【００３６】
図５に示すように、本実施例では、基板９上にスイッチ１２が配置されていない。その代わり、ＩＣチップ１４は、基板９のうち、特定ネジ１４０の直下の位置に配置されている。図６に示すように、特定ネジ１４０が固定位置にある場合、特定ネジ１４０の先端部１４２は、ＩＣチップ１４の直上に所定の間隔をあけて配置される。
【００３７】
固定位置にある特定ネジ１４０（図６）を、特定のトルク以上のトルクで、左方向に回すと、特定ネジ１４０は、固定位置から、蓋６とケース４とを固定する方向（図６の下方向）にさらに進行しようとする。即ち、特定ネジ１４０の頭部が、第２板材３４に対して、下向きの力を加える。その結果、図７に示すように、位置決め部材３０の各支持材３６がつぶれて変形する。これにより、特定ネジ１４０は、固定位置を超えて、蓋６とケース４とを固定する方向（図７の下方向）にさらに進行する。特定ネジ１４０がさらに進行すると、特定ネジ１４０の先端部１４２が、直下に配置されたＩＣチップ１４を物理的に損傷させる。なお、本実施例でも、固定位置にある特定ネジ１４０（図６）が、特定のトルクより小さいトルクで左方向に回されたとしても、位置決め部材３０の各支持材３６は変形しない。
【００３８】
本実施例では、ＩＣチップ１４を物理的に損傷させることにより、ＩＣチップ１４のメモリに記憶されている情報を正確に読み出せないようにすることができる。
【００３９】
（第３実施例）
第３実施例について、第１実施例と異なる点を中心に説明する。図８に示すように、本実施例の端末装置２０２では、位置決め部材３０（図３参照）に代えて、凹部４４にリング状の位置決め片２３０が設けられている点で、第１実施例とは異なる。位置決め片２３０は、その外周部が凹部４４の内壁面に固定され、その中央に特定ネジ４０のネジ部が挿通する貫通孔２３０ａが形成されている。位置決め片２３０は、蓋６と一体に形成されており、凹部４４の内壁面から凹部４４の内部空間の中心方向に向かって伸びている。
【００４０】
本実施例では、ケース４と蓋６を閉塞状態で固定するために、ネジ孔４６及びネジ孔５２に特定ネジ４０を螺入させると、図８に示すように、特定ネジ４０の頭部が位置決め片２３０上に当接する。この結果、特定ネジ４０は、図８に示す位置で位置決めされる。即ち、本実施例では、図８に示す特定ネジ４０の位置が、ケース４と蓋６とが閉塞状態で固定される場合の特定ネジ４０の位置（固定位置）である。本実施例でも、特定ネジ４０が固定位置にある場合、特定ネジ４０の先端部４２は、スイッチ１２の直上に所定の間隔をあけて配置される。
【００４１】
固定位置にある特定ネジ４０（図８）を、特定のトルク以上のトルクで、左方向に回すと、特定ネジ４０は、固定位置から、蓋６とケース４とを固定する方向（図８の下方向）にさらに進行しようとする。即ち、特定ネジ４０の頭部が、位置決め片２３０に対して、下向きの力を加える。その結果、図９に示すように、位置決め片２３０が変形する。これにより、特定ネジ４０は、固定位置を超えて、蓋６とケース４とを固定する方向（図９の下方向）にさらに進行する。特定ネジ４０がさらに進行すると、特定ネジ４０の先端部４２が、スイッチ１２を押し下げる。本実施例でも、スイッチ１２が押されると、ＩＣチップ１４のＣＰＵは、メモリ内のデータを全て消去する処理を行う。なお、固定位置にある特定ネジ４０（図８）が、特定のトルクより小さいトルクで左方向に回されたとしても、位置決め片２３０は変形しない。
【００４２】
（第４実施例）
第４実施例について、第１実施例と異なる点を中心に説明する。本実施例の端末装置３０２は、図１０に示すように、外蓋３０６と、外蓋３０６を外すと現れる内ケース４０４及び内蓋４０６を有する点で、第１実施例と異なる。
【００４３】
外蓋３０６とケース４の構成は、第１実施例の蓋６とケース４の構成と基本的に共通する。ただし、本実施例では、外蓋３０６の上面３０６ａの中央部分に、特定ネジ４０を螺入するための凹部４４（図２参照）が形成されていない。また、ケース４には、梁部材５０（図２参照）が形成されていない。即ち、図１０に示すように、外蓋３０６とケース４は、四本の固定ネジ２２（右ネジ）によって固定されている。
【００４４】
ケース４内には、電池１０と、内ケース４０４及び内蓋４０６が備えられている。内ケース４０４内には、第１実施例と同様のＩＣチップ１４及びスイッチ１２が収容されている（図１１参照）。内ケース４０４の開口部は、内蓋４０６によって閉塞されている。詳しい内部構造の図示は省略するが、内蓋４０６と内ケース４０４は、固定ネジ２２と特定ネジ４０によって固定されている。
【００４５】
内蓋４０６の上面には、固定ネジ２２（右ネジ）を螺入するための凹部４２０、及び、特定ネジ４０（左ネジ）を螺入するための凹部４４４が形成されている。凹部４２０は、外蓋３０６の凹部２０と同様の構成を有する。凹部４４４は、第１実施例の凹部４４（図２、図３参照）と同様の構成を有する。即ち、図１１に示すように、凹部４４４内には、第１実施例と同様の位置決め部材３０（図３、図４参照）が備えられている。
【００４６】
図１１に示すように、内蓋４０６と内ケース４０４とが閉塞状態で固定されている場合には、固定位置にある特定ネジ４０の直下の位置にスイッチ１２が配置される。スイッチ１２は、固定位置の特定ネジ４０の先端部と対向し、両者の間に隙間が形成されている。
【００４７】
固定位置にある特定ネジ４０（図１１）を、特定のトルク以上のトルクで、左方向に回すと、特定ネジ４０は、固定位置から、内蓋４０６と内ケース４０４とを固定する方向にさらに進行しようとする。その結果、第１実施例の場合と同様に、位置決め部材３０の各支持材３６がつぶれて変形する（図４参照）。これにより、特定ネジ４０は、固定位置を超えて、内蓋４０６と内ケース４０４とを固定する方向にさらに進行する。特定ネジ４０がさらに進行すると、特定ネジ４０の先端部が、スイッチ１２を押し下げる。本実施例でも、スイッチ１２が押されると、ＩＣチップ１４のＣＰＵは、メモリ内のデータを全て消去する処理を行う。本実施例でも、固定位置にある特定ネジ４０（図１１）が、特定のトルクより小さいトルクで左方向に回されたとしても、位置決め部材３０の各支持材３６は変形しない。
【００４８】
本実施例の端末装置３０２は、外蓋３０６と内蓋４０６とを備える。特定ネジ４０は、内蓋４０６に螺入されている。そのため、本実施例の端末装置３０２では、４本の固定ネジ２２（右ネジ）を取り外して外蓋３０６を取り外した後に、内蓋４０６の特定ネジ４０（左ネジ）を取り外すことができる。即ち、本実施例では、特定ネジ４０は、固定ネジ２２を左方向に回して取り外した後に回すことができる位置に備えられている。従って、不正開封者が本実施例の端末装置３０２を開封しようとする場合に、特定ネジ４０を取り外そうとして、固定ネジ２２を取り外す場合と同様に、特定ネジ４０を左方向に回す可能性がより高くなる。そのため、不正開封者によって、ＩＣチップ１４のメモリに記憶されている情報が不正に利用されることを効果的に抑制することができる。
【００４９】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００５０】
（変形例１）  上記の第１、第３、第４実施例では、スイッチ１２が押されると、ＩＣチップ１４のＣＰＵは、メモリ内のデータを全て消去する処理を行っている。これに限られず、スイッチ１２が押される場合に、ＩＣチップ１４のＣＰＵは、メモリ内のデータの一部を消去する処理を行ってもよい。また、ＩＣチップ１４のＣＰＵは、メモリ内のデータを、全く無意味なデータに変更してもよい。本変形例のＩＣチップ１４のＣＰＵも、「記憶媒体に記憶されている情報を変更可能な制御装置」の一例である。
【００５１】
（変形例２）  上記の各実施例では、蓋６とケース４とを閉塞状態で固定するための複数本のネジは、１本の左ネジ（特定ネジ４０（１４０））を除き、いずれも右ネジ（固定ネジ２２）である。これには限られず、複数本のネジは、特定ネジ４０（１４０）以外の左ネジを１本以上含んでいてもよい。
【００５２】
（変形例３）  上記の各実施例では、特定ネジ４０（１４０）は左ネジであり、固定ネジ２２は右ネジである。これに限られず、特定ネジ４０（１４０）が右ネジであり、固定ネジ２２が左ネジであってもよい。この変形例の場合、右方向が「特定の方向」の一例である。
【００５３】
（変形例４）  上記の各実施例では、位置決め部材３０（位置決め片２３０）は、いずれも、蓋６（内蓋４０６）側に備えられている。これに限られず、位置決め部材３０（位置決め片２３０）は、ケース４側に備えられていてもよい。
【００５４】
（変形例５）  第１、第３、第４実施例で説明したスイッチ１２は、いずれもボタン状のスイッチである（図１、図３、図４等参照）。これに限られず、スイッチ１２は、押された場合（ＯＮされた場合）に、ＩＣチップ１４のＣＰＵに、メモリ内のデータの削除又は変更を行わせることができれば、任意の構造のスイッチを用いることができる。また、固定位置からさらに進行した特定ネジ４０の先端部４２が、基板９に形成された配線に接触することで、ＩＣチップ１４のＣＰＵにメモリ内のデータの削除又は変更を行わせるための回路が作動するようにしてもよい。
【００５５】
（変形例６）  上記各実施例で説明した位置決め部材３０又は位置決め片２３０は、あくまで一例であり、位置決め片の形状、構造はこれらには限られない。位置決め片は、特定ネジ４０（１４０）を固定位置に位置決めするとともに、固定位置にある特定ネジ４０（１４０）が特定のトルク以上のトルクで特定の方向（左方向）に回される場合に変形可能であれば、任意の形状及び構造のものを用いてもよい。
【００５６】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００５７】
２：端末装置
４：ケース
４ａ：底面
４ｂ：ネジ孔
５：開口部
６：蓋
６ａ：上面
９：基板
１０：電池
１２：スイッチ
１４：ＩＣチップ
２０：凹部
２１：ネジ孔
２２：固定ネジ
３０：位置決め部材
３２：第１板材
３４：第２板材
３６：支持材
３８：孔
４０：特定ネジ
４２：先端部
４４：凹部
４６：ネジ孔
５０：梁部材
５２：ネジ孔
１０２：端末装置
１４０：特定ネジ
１４２：先端部
２０２：端末装置
２３０：位置決め片
２３０ａ：貫通孔
３０２：端末装置
３０６：外蓋
３０６ａ：上面
４０４：内ケース
４０６：内蓋
４２０：凹部
４４４：凹部
【図１】
2014154106.tif 000003
【図２】
2014154106.tif 000004
【図３】
2014154106.tif 000005
【図４】
2014154106.tif 000006
【図５】
2014154106.tif 000007
【図６】
2014154106.tif 000008
【図７】
2014154106.tif 000009
【図８】
2014154106.tif 000010
【図９】
2014154106.tif 000011
【図１０】
2014154106.tif 000012
【図１１】
2014154106.tif 000013